(57)【要約】      （修正有）【課題】配送時の利便性と使用時の安全性を両立できる支持構造体を提供する。【解決手段】支持構造体は、第１フレーム２００と、第２フレーム３００と、第１フレーム２００と第２フレーム３００とをヒンジ連結する第１連結部と、第１フレーム２００と第２フレーム３００とをヒンジ連結し、且つ、第１フレーム２００と第２フレーム３００との間の角度を第１角度〜第２角度の範囲内で調整可能な第２連結部４００とを備えている。また、第１連結部は規制ジョイント１００を備え、該規制ジョイント１００は第１フレーム２００と第２フレーム３００との間の角度の上限値を第１角度〜第２角度の範囲内にある第３角度に設定することが可能であり、該上限値が規制ジョイント１００によって第３角度に設定されたときに、第１フレームと第２フレームとの間の角度は第２連結部４００によって第１角度〜前記第３角度の範囲内のみにおいて調整可能である。【選択図】図２
0003198273.tif 000002
【実用新案登録請求の範囲】
【請求項１】
第１フレームと、第２フレームと、前記第１フレームと前記第２フレームとをヒンジ連結する第１連結部と、前記第１フレームと前記第２フレームとをヒンジ連結し、且つ、前記第１フレームと前記第２フレームとの間の角度を第１角度〜第２角度の範囲内で無段的に又は段階的に調整可能な第２連結部と、を備えた支持構造体であって、
前記第１連結部は規制ジョイントを備え、前記規制ジョイントは前記第１フレームと前記第２フレームとの間の角度の上限値を前記第１角度〜前記第２角度の範囲内にある第３角度に設定することが可能であり、前記上限値が前記規制ジョイントによって前記第３角度に設定されたときに、前記第１フレームと前記第２フレームとの間の角度は前記第２連結部によって前記第１角度〜前記第３角度の範囲内のみにおいて調整可能である、支持構造体。
【請求項２】
前記第１角度は０度であり、前記第２角度は１８０度であり、前記第３角度は０度〜１８０度の範囲内にある角度である、請求項１に記載の支持構造体。
【請求項３】
前記規制ジョイントは、前記第１フレームに固定された第１接続ロッドと、前記第２フレームに固定された第２接続ロッド及びラチェットとを備えており、前記第１接続ロッドの第１ヒンジ端部は前記第２接続ロッドの第２ヒンジ端部にヒンジ連結され、前記第１接続ロッドの第１ヒンジ端部にロック凹部が設けられ、前記ラチェットのヒンジ端部は前記第２接続ロッドの第２ヒンジ端部にヒンジ連結されており、前記規制ジョイントによって前記第１フレームと前記第２フレームとの間の角度の上限値が前記第３角度に設定された場合、前記ラチェットの当接端部が前記第１接続ロッドのロック凹部に係止されることにより、これにより前記第１フレームと前記第２フレームとの間の角度が前記第３角度よりも大きな角度になることが規制される、請求項１又は２に記載の支持構造体。
【請求項４】
前記規制ジョイントは付勢部材をさらに備えており、前記付勢部材は、前記ラチェットと前記第２接続ロッドの第２ヒンジ端部との間に設けられ、前記ラチェットの当接端部を前記第１接続ロッドの第１ヒンジ端部側に付勢している、請求項３に記載の支持構造体。
【請求項５】
前記第２接続ロッドの第２ヒンジ端部には、前記ラチェットの当接端部に対応して、規制解除部材を挿入可能な開口が設けられており、前記規制解除部材を前記第２接続ロッドの開口に挿入して前記ラチェットを駆動することにより、前記第１接続ロッドのロック凹部に対する前記ラチェットの当接端部の係止が解除されて、前記第１フレームと前記第２フレームとの間の角度の上限値が前記第２角度になる、請求項３又は４に記載の支持構造体。
【請求項６】
前記第１接続ロッドの第１ヒンジ端部は２つの係止片によって構成され、前記第２接続ロッドの第２ヒンジ端部は２つの側板と連結底板とによって構成されており、前記第２接続ロッドの２つの側板は互いが平行になるように前記連結底板に設けられ、該２つの側板の内側面において前記第１接続ロッドの２つの係止片がそれぞれヒンジ連結されており、前記第１接続ロッドのロック凹部は前記２つの係止片の外縁に設けられ、前記ラチェットの当接端部は前記第１接続ロッドの２つの係止片の外縁に当接し、前記第２接続ロッドの開口は前記ラチェットの当接端部の外縁の下方に位置するように前記底板の中央部に設けられている、請求項５に記載の支持構造体。
【請求項７】
前記第２連結部は、ハンドル式角度調整機構又はガススプリング式角度調整機構である、請求項１〜６の何れか１項に記載の支持構造体。
【請求項８】
前記支持構造体は、折りたたみ式座椅子の骨組み、折りたたみ式ソファーの骨組み、又は折りたたみ式ベッドの骨組みとして用いられるものである、請求項１〜７の何れか１項に記載の支持構造体。
【考案の詳細な説明】
【技術分野】
【０００１】
本考案は、折りたたみ式座椅子や折りたたみ式ソファーや折りたたみ式ベッド等の骨組みとして使用可能な支持構造体に関する。
【背景技術】
【０００２】
従来、折りたたみ式座椅子や折りたたみ式ソファーや折りたたみ式ベッド等の骨組みとして使用されている支持構造体は、一般に、第１フレーム（背もたれ用フレーム）と第２フレーム（座面用フレーム）と角度調整機構とによって構成されている。第１フレームは第２フレームにヒンジ連結され、図１に示した角度調整機構４００が第１フレームと第２フレームとの間に設けられている。この角度調整機構４００により、第１フレームと第２フレームとの間の角度が０度〜１８０度の範囲内で調整可能であり、所望の角度でロック可能となっている。
【０００３】
ところで、前記支持構造体に対する要望は製造者側と使用者側とで異なる。即ち、前記支持構造体を折りたたみ式座椅子の骨組みとして使用した場合を例に挙げて説明すれば、製造者は、折りたたみ式座椅子の積み重ね空間を節約して配送コストを低減できるようにするために、支持構造体の第１フレームと第２フレームとの間の角度をなるべく大きく、例えば１８０度に調整できることを望んでいる。一方、使用者は、折りたたみ式座椅子を頻度の高い姿勢下で安全に利用できるようにするために、支持構造体の第１フレームと第２フレームとの間の角度を例えば９０度〜１６０度の範囲内で調整できることを望んでいる。このことは、前記支持構造体を折りたたみ式ソファーや折りたたみ式ベッド等の骨組みとして使用した場合においても同様である。
【考案の概要】
【考案が解決しようとする課題】
【０００４】
本考案の課題は、配送時の利便性と使用時の安全性を両立できる支持構造体を提供することにある。
【課題を解決するための手段】
【０００５】
前記課題を解決するため、本考案に係る支持構造体は、第１フレームと、第２フレームと、前記第１フレームと前記第２フレームとをヒンジ連結する第１連結部と、前記第１フレームと前記第２フレームとをヒンジ連結し、且つ、前記第１フレームと前記第２フレームとの間の角度を第１角度〜第２角度の範囲内で無段的に又は段階的に調整可能な第２連結部と、を備えた支持構造体であって、前記第１連結部は規制ジョイントを備え、前記規制ジョイントは前記第１フレームと前記第２フレームとの間の角度の上限値を前記第１角度〜前記第２角度の範囲内にある第３角度に設定することが可能であり、前記上限値が前記規制ジョイントによって前記第３角度に設定されたときに、前記第１フレームと前記第２フレームとの間の角度は前記第２連結部によって前記第１角度〜前記第３角度の範囲内のみにおいて調整可能である。
【０００６】
この構成によれば、第１連結部に規制ジョイントが設けられているため、使用者は、規制ジョイントによって設定された上限値までの範囲のみにおいて、第１フレームと第２フレームとの間の角度を第２連結部によって調整することができる。また、製造者は、規制ジョイントによる規制を解除することにより、第１フレームと第２フレームとの間の角度をなるべく大きく、例えば１８０度に調整することができる。依って、製造者は、折りたたみ式座椅子等の積み重ね空間を節約して配送コストを低減することができ、一方、使用者は、折りたたみ式座椅子等を頻度の高い姿勢下で安全に利用することができる。要するに、配送時の利便性と使用時の安全性を両立できる。
【０００７】
尚、前記第１角度は０度、前記第２角度は１８０度、前記第３角度は０度〜１８０度の範囲内にある角度であることが望ましい。
【０００８】
また、前記規制ジョイントは、前記第１フレームに固定された第１接続ロッドと、前記第２フレームに固定された第２接続ロッド及びラチェットとを備えており、前記第１接続ロッドの第１ヒンジ端部は前記第２接続ロッドの第２ヒンジ端部にヒンジ連結され、前記第１接続ロッドの第１ヒンジ端部にロック凹部が設けられ、前記ラチェットのヒンジ端部は前記第２接続ロッドの第２ヒンジ端部にヒンジ連結されており、前記規制ジョイントによって前記第１フレームと前記第２フレームとの間の角度の上限値が前記第３角度に設定された場合、前記ラチェットの当接端部が前記第１接続ロッドのロック凹部に係止されることにより、これにより前記第１フレームと前記第２フレームとの間の角度が前記第３角度よりも大きな角度になることが規制される、ことが望ましい。
【０００９】
さらに、前記規制ジョイントは付勢部材をさらに備えており、前記付勢部材は、前記ラチェットと前記第２接続ロッドの第２ヒンジ端部との間に設けられ、前記ラチェットの当接端部を前記第１接続ロッドの第１ヒンジ端部側に付勢している、ことが望ましい。
【００１０】
この構成によれば、ラチェットの当接端部を第１接続ロッドのロック凹部に確実に係止することができる。一方、ラチェットを付勢部材の付勢力に抗して駆動することにより、第１接続ロッドのロック凹部に対するラチェットの当接端部の係止を解除することができる。つまり、簡単な構成で、ラチェットを規制状態と規制解除状態とに切り替えることができる。
【００１１】
さらに、前記第２接続ロッドの第２ヒンジ端部には、前記ラチェットの当接端部に対応して、規制解除部材を挿入可能な開口が設けられており、前記規制解除部材を前記第２接続ロッドの開口に挿入して前記ラチェットを駆動することにより、前記第１接続ロッドのロック凹部に対する前記ラチェットの当接端部の係止が解除されて、前記第１フレームと前記第２フレームとの間の角度の上限値が前記第２角度になる、ことが望ましい。
【００１２】
この構成によれば、規制解除部材を第２接続ロッドの開口に挿入してラチェットを駆動することにより、第１接続ロッドのロック凹部に対するラチェット当接端部の係止を解除することができる。また、第１接続ロッドのロック凹部に対するラチェットの当接端部の係止を解除することにより、第１フレームと第２フレームとの間の角度を第３角度よりも大きな角度に調整することができる。
【００１３】
さらに、前記第１接続ロッドの第１ヒンジ端部は２つの係止片によって構成され、前記第２接続ロッドの第２ヒンジ端部は２つの側板と連結底板とによって構成されており、前記第２接続ロッドの２つの側板は互いが平行になるように前記連結底板に設けられ、該２つの側板の内側面において前記第１接続ロッドの２つの係止片がそれぞれヒンジ連結されており、前記第１接続ロッドのロック凹部は前記２つの係止片の外縁に設けられ、前記ラチェットの当接端部は前記第１接続ロッドの２つの係止片の外縁に当接し、前記第２接続ロッドの開口は前記ラチェットの当接端部の外縁の下方に位置するように前記底板の中央部に設けられている、ことが望ましい。
【００１４】
さらに、前記第２連結部には、ハンドル式角度調整機構又はガススプリング式角度調整機構を用いることができる。
【００１５】
さらに、前掲の支持構造体は、折りたたみ式座椅子の骨組み、折りたたみ式ソファーの骨組み、又は折りたたみ式ベッドの骨組みとして使用することができる。
【図面の簡単な説明】
【００１６】
【図１】図１は従来の角度調整機構の説明図である。
【図２】図２は本考案を適用した折りたたみ式座椅子用の支持構造体の平面図である。
【図３】図３は図２に示した支持構造体の側面図である。
【図４】図４は図２に示した支持構造体の使用状態を示す図である。
【図５】図５は図２〜図４に示した規制ジョイントの拡大側面図である。
【図６】図６は図５に示した規制ジョイントの平面図である。
【図７】図７は図５に示した規制ジョイントの底面図である。
【図８】図８は図５〜図７に示した規制ジョイントのロック状態を示す図である。
【図９】図９は図５〜図７に示した規制ジョイントのロック解除状態を示す図である。
【考案を実施するための形態】
【００１７】
以下、図面を参照して、本考案の一実施形態、具体的には本考案を適用した折りたたみ式座椅子用の支持構造体について説明する。
【００１８】
先ず、支持構造体の全体構成について説明する。図２〜図４に示したように、支持構造体は、第１フレーム（背もたれ用フレーム）２００と、第２フレーム（座面用フレーム）３００と、第１フレーム２００と第２フレーム３００とをヒンジ連結する第１連結部及び第２連結部４００（図１を参照）とを備えている。第１連結部は規制ジョイント１００を備えている。第２連結部４００は、ハンドル式角度調整機構であって、第１フレーム２００と第２フレーム３００との間の角度を０度〜１８０度（第１角度〜第２角度）の範囲内で無段的に又は段階的に調整可能である。
【００１９】
第１連結部に設けられた規制ジョイント１００は、第１フレーム２００と第２フレーム３００との間の角度の上限値を、９０度〜１８０度の範囲内における所定角度α（第３角度）に設定することができる。このように、規制ジョイント１００によって第１フレーム２００と第２フレーム３００との間の角度の上限値を所定角度αに設定すると、第１フレーム２００と第２フレーム３００との間の角度は第２連結部４００によって０度〜所定角度α（第１角度〜第３角度）の範囲内のみにおいて調整可能となる。
【００２０】
所定角度αは、１１０度や１３０度や１４８度や１６０度等、９０度〜１８０度の範囲内の所望の角度に設定することができる。また、使用者は、使用時に自分の好みに従って所定角度αを他の角度に適宜設定することができる。
【００２１】
前記構造によれば、第１フレーム２００と第２フレーム３００とを連結する第１連結部に規制ジョイント１００が設けられているため、使用者は、規制ジョイント１００によって設定された上限値までの範囲（０度〜所定角度αの範囲）のみにおいて、第１フレーム２００と第２フレーム３００との間の角度を第２連結部４００によって調整することができる。また、規制ジョイント１００による規制を解除することにより、第１フレーム２００と第２フレーム３００との間の角度を第２連結部４００によって０度〜１８０度の範囲内において調整することができる。
【００２２】
依って、製造者は、規制ジョイント１００による規制を解除して、第１フレーム２００と第２フレーム３００との間の角度を例えば１８０度に調整することにより、折りたたみ式座椅子の積み重ね空間を節約して配送コストを低減することができる。一方、使用者は、規制ジョイント１００によって第１フレーム２００と第２フレーム３００との間の角度の上限値を自分の好みに従って１８０度よりも小さな値に設定することができるので、折りたたみ式座椅子を頻度の高い姿勢下で安全に利用することができる。要するに、配送時の利便性と使用時の安全性を両立することができる。
【００２３】
次に、規制ジョイント１００の構成についてより詳細に説明する。図５〜図７に示したように、規制ジョイント１００は、第１フレーム２００に固定された第１接続ロッド１１０と、第２フレーム３００に固定された第２接続ロッド１２０及びラチェット１３０とを備えている。ラチェット１３０はヒンジ端部１３１と当接端部１３２とを備えている。第１接続ロッド１１０の第１ヒンジ端部１１１は、第２接続ロッド１２０の第２ヒンジ端部１２１にヒンジ連結されている。第１接続ロッド１１０の第１ヒンジ端部１１１にはロック凹部１１２が設けられ、ラチェット１３０のヒンジ端部１３１は第２接続ロッド１２０の第２ヒンジ端部１２１内にヒンジ連結されている。
【００２４】
規制ジョイント１００によって第１フレーム２００と第２フレーム３００との間の角度の上限値を所定角度αに設定した場合、第１フレーム２００と第２フレーム３００の間の角度が所定角度αに達したときに、ラチェット１３０の当接端部１３２が第１接続ロッド１１０のロック凹部１１２に係止され、これにより第１フレーム２００と第２フレーム３００との間の角度が所定角度αよりも大きな角度に変動することが規制される。
【００２５】
即ち、規制ジョイント１００がロック状態（図８を参照）である場合は、ラチェット１３０の当接端部１３２が第１接続ロッド１１０のロック凹部１１２に係止されることにより、第１フレーム２００と第２フレーム３００との間の角度が所定角度αに固定される。一方、規制ジョイント１００がロック解除状態（図９を参照）である場合は、ラチェット１３０の当接端部１３２は第１接続ロッド１１０のロック凹部１１２から外れているため、使用者が必要に応じて第１フレーム２００と第２フレーム３００との間の角度を所定角度αよりも大きな角度に調整することができる。このように、第１接続ロッド１１０にロック凹部１１２が設けられているため、ラチェット１３０の当接端部１３２を第１接続ロッド１１０のロック凹部１１２に係止させることにより、第１フレーム２００と第２フレーム３００との間の角度の上限値を所望の値に固定することができる。
【００２６】
また、規制ジョイント１００は付勢部材１４０をさらに備えている。付勢部材１４０はラチェット１３０と第２接続ロッド１２０の第２ヒンジ端部１２１との間に設けられ、ラチェット１３０の当接端部１３２を第１接続ロッド１１０の第１ヒンジ端部１１１側に付勢している。図５に示したように、ラチェット１３０は付勢部材１４０によって逆時計回り方向に付勢されているため、ラチェット１３０の当接端部１３２を第１接続ロッド１１０のロック凹部１１２に確実に係止することができる（図８を参照）。一方、ラチェット１３０を付勢部材１４０の付勢力に抗して時計回り方向に駆動することにより、第１接続ロッド１１０のロック凹部１１２に対するラチェット１３０の当接端部１３２の係止を解除することができる（図９を参照）。つまり、簡単な構成で、ラチェット１３０を規制状態と規制解除状態とに切り替えることができる。
【００２７】
次に、第１接続ロッド１１０のロック凹部１１２に対するラチェット１３０の当接端部１３２の係止を解除するための構成について説明する。図６及び図７に示したように、第２接続ロッド１２０の第２ヒンジ端部１２１には、ラチェット１３０の当接端部１３２に対応して、規制解除部材１５０（図８及び図９を参照）を挿入可能な開口１２２が設けられている。この規制解除部材１５０は、一端部が折れ曲がったバール状の工具である。つまり、図８及び図９に示したように、規制解除部材１５０を第２接続ロッド１２０の開口１２２に挿入してラチェット１３０を駆動することにより、第１接続ロッド１１０のロック凹部１１２に対するラチェット１３０の当接端部１３２の係止を解除することができる。また、第１接続ロッド１１０のロック凹部１１２に対するラチェット１３０の当接端部１３２の係止を解除することにより、第１フレーム２００と第２フレーム３００との間の角度を所定角度αよりも大きな角度に調整することができる。
【００２８】
図６及び図７に示したように、第１接続ロッド１１０の第１ヒンジ端部１１１は２つの係止片１１３によって構成され、第２接続ロッド１２０の第２ヒンジ端部１２１は２つの側板１２３と連結底板１２４とによって構成されている。第２接続ロッド１２０の２つの側板１２３は互いが平行になるように連結底板１２４に設けられており、この２つの側板１２３の内側面において第１接続ロッド１１０の２つの係止片１１３がそれぞれヒンジ連結されている。第１接続ロッド１１０のロック凹部１１２は２つの係止片１１３の外縁に設けられ、ラチェット１３０のヒンジ端部１３１は第２接続ロッド１２０の２つの側板１２３の間にヒンジ連結されている。
【００２９】
また、ラチェット１３０の当接端部１３２は第１接続ロッド１１０の２つの係止片１１３の外周縁に当接していて、第２接続ロッド１２０の開口１２２はラチェット１３０の当接端部１３２の外縁の下方に位置するように連結底板１２４の中央部に設けられている。依って、規制解除部材１５０を第２接続ロッド１２０の開口１２２に挿入してラチェット１３０を駆動することにより、第１接続ロッド１１０のロック凹部１１２に対するラチェット１３０の当接端部１３２の係止を解除して、第１フレーム２００と第２フレーム３００との間の角度を所定角度αよりも大きな角度に調整することができる。
【００３０】
次に、第１接続ロッド１１０のロック凹部１１２に対するラチェット１３０の当接端部１３２の係止を解除する方法について説明する。第１接続ロッド１１０のロック凹部１１２に対するラチェット１３０の当接端部１３２の係止を解除する際には、規制解除部材１５０の一端部を第２接続ロッド１２０の開口１２２に挿入してラチェット１３０を付勢部材１４０の付勢力に抗して時計回り方向に駆動し、ラチェット１３０の当接端部１３２を第１接続ロッド１１０のロック凹部１１２から外して係止を解除、即ち、ラチェット１３０による規制を解除する。そして、必要に応じて第１フレーム２００と第２フレーム３００との間の角度を図９に示した水平状態になるまで調整する。
【００３１】
次に、前述の実施形態の変形例について説明する。前述の実施形態では、規制解除部材１５０として一端部が折れ曲がったバール状の工具を示したが、これの代わりに、第２接続ロッド１２０の開口１２２に挿入可能で、且つ、ラチェット１３０を駆動できるだけの強度を有する工具を用いても良い。
【００３２】
また、前述の実施形態では、第２連結部４００としてハンドル式角度調整機構を示したが、これの代わりに、ガススプリング式角度調整機構を用いても良いし、同じ機能を有する他の角度調整機構を用いても良い。
【００３３】
さらに、前述の実施形態では、規制ジョイント１１０を第１フレーム２００と第２フレーム３００とをヒンジ連結する第１連結部に設けたものを示したが、該規制ジョイント１１０を第１連結部に設けずに、第１フレーム２００と第２フレーム３００との間に設けても良い。この構成を採用する場合は、既存の支持構造を変更せずに、単に規制ジョイント１１０を設置するだけで、第１フレーム２００と第２フレーム３００との間の角度の上限値を設定することができる。
【００３４】
さらに、前述の実施形態では、図２下側に規制ジョイント１００を備える第１連結部を配置し、図２上側に第２連結部４００を配置したが、第１連結部と第２連結部４００との配置位置を置換しても良いし、第１連結部と第２連結部４００の両方を図２下側と図２上側に配置しても良い。
【００３５】
さらに、前述の実施形態では、本考案を折りたたみ式座椅子の骨組みに適用したものを示したが、本考案を折りたたみ式ソファーの骨組みや折りたたみ式ベッドの骨組み等に適用しても、前記同様の作用及び効果を得ることができる。
【符号の説明】
【００３６】
１００…規制ジョイント、１１０…第１接続ロッド、１１１…第１ヒンジ端部、１１２…ロック凹部、１１３…係止片、１２０…第２接続ロッド、１２１…第２ヒンジ端部、１２２…開口、１２３…側板、１２４…連結底板、１３０…ラチェット、１３１…ヒンジ端部、１３２…当接端部、１４０…付勢部材、１５０…規制解除部材、２００…第１フレーム、３００…第２フレーム、４００…第２連結部。
【図１】
0003198273.tif 000003
【図２】
0003198273.tif 000004
【図３】
0003198273.tif 000005
【図４】
0003198273.tif 000006
【図５】
0003198273.tif 000007
【図６】
0003198273.tif 000008
【図７】
0003198273.tif 000009
【図８】
0003198273.tif 000010
【図９】
0003198273.tif 000011